(57)【要約】      （修正有）【課題】筆記中において、口先部の開口と筆記部との間で不快な異音が生ずるのを、効果的に抑制することができる繰出し式筆記具を提供する。【解決手段】軸筒１と、軸筒１内に配置された筆記リフィール５と、筆記リフィール５を軸筒内の後方に向って付勢する戻しスプリング６と、戻しスプリングの付勢力に抗して筆記リフィール５を前方に押圧することで、軸筒先端部における口先部３の開口３ａから筆記リフィール５の先端筆記部５ａを突出させる繰出し操作部１Ｂとが具備されている。戻しスプリング６は、コイル状に成形された前端部が口先部内に当接し、後端部が筆記リフィール５に当接して配置されると共に、戻しスプリング６の中腹部に外径が最小径にされたくびれ部が形成され、かつ後端部の拡径部の外径が最大径となるように成形されている。【選択図】図１
2019119055.tif 000002
【特許請求の範囲】
【請求項１】
軸筒と、前記軸筒内に配置された筆記リフィールと、前記筆記リフィールを軸筒内の後方に向って付勢する戻しスプリングと、前記戻しスプリングの付勢力に抗して前記筆記リフィールを前方に押圧することで、軸筒先端部における口先部の開口から筆記リフィールの先端筆記部を突出させる繰出し操作部とを具備した繰出し式筆記具であって、
前記戻しスプリングは、コイル状に成形された前端部が口先部内に当接し、後端部が筆記リフィールに当接して配置されると共に、戻しスプリングの中腹部に外径が最小径にされたくびれ部が形成され、かつ後端部の外径が最大径に成形されていることを特徴とする繰出し式筆記具。
【請求項２】
前記戻しスプリングの後端部は、中腹部に対してコイルピッチが狭く形成されると共に、中腹部から後端部に向って外径が順次拡大する拡径部が形成されていることを特徴とする請求項１に記載の繰出し式筆記具。
【請求項３】
前記先端筆記部に形成されたテーパー面の角度をα１、前記口先部の開口における内面角度をα２としたとき、α１＞α２の関係に設定されていることを特徴とする請求項１または請求項２に記載の繰出し式筆記具。
【請求項４】
前記軸筒が前軸と後軸により構成され、前軸に対して後軸を相対回転させることで、前記筆記リフィールを前進動作させる回転繰出しユニットが備えられ、前記回転繰出しユニットによる筆記リフィールの前進動作により、先端筆記部を口先部の開口から突出させることを特徴とする請求項１ないし請求項３のいずれか１項に記載の繰出し式筆記具。
【発明の詳細な説明】
【技術分野】
【０００１】
この発明は、軸筒の一部に設けた操作部を操作することで、軸筒前端部の口先部から筆記部が出没される繰出し式筆記具に関する。
【背景技術】
【０００２】
軸筒の一部に設けた操作部をノックもしくは回転させる等して、軸筒前端部の口先部から筆記部を出没させる構造の繰出し式筆記具は良く知られており、その改良について従来より数多くの提案がなされている。
この種の繰出し式筆記具においては、口先部の開口とリフィール先端の筆記部との間で、適正なクリアランス（隙間）が設けられることで、口先部から筆記部を円滑に出没させることができるように構成されている。
【０００３】
しかしながら、軸筒の軸心に対して筆記部がずれて繰出される場合には、前記クリアランスの存在により、口先部の開口に対して筆記部が片寄った状態で位置することになり、これが筆記部の繰出し時、および筆記中において異音を発生させる要因になる。
例えば、軸筒前端部には金属製の口先部（口金）が用いられる場合が多い。この金属製の口先部から筆記部として例えば金属製のボールペンチップが出没する筆記具においては、先端部がテーパー状に成形されたボールペンチップのテーパー面が、金属製の口先部内の鋭角部に当接しながら前進するために、不快な摺接音が発生することが問題として取り上げられている。
このような問題を解消するために、特許文献１には口先部内の前記鋭角部に対して、これを丸める加工を施すことで、金属同志の不快な摺接音の発生を防止できることが開示されている。
【０００４】
一方、前記した繰出し式筆記具においては、一般に筆記リフィールを軸筒内で後退させる方向に付勢するコイル状の戻しスプリング備えられている。
この戻しスプリングは、特許文献１に開示されているように、そのコイルピッチおよびコイル径が一様になされて、いわゆるストレート状に成形されている。そして、筆記部が口先部から繰出されて筆記可能な状態においては、前記戻しスプリングは軸方向に収縮された状態になされる。
【０００５】
このために、戻しスプリングの例えば中央部にはたわみが生じ、そのばね力は口先部の開口を通る先端筆記部を、軸心から逸脱させる（逃がす）方向に作用させる。これにより、先端筆記部を口先部の開口の一部に、片寄ったスプリング圧で当接させる作用を与えることになる。
【０００６】
一般にこの種の筆記具は、筆記面（紙面）に対してある程度、傾けた状態で筆記されるので、先端筆記部が筆記圧を受けた場合には、前記したクリアランスの存在によって、先端筆記部は口先部の開口の一部に当接した状態から離れて、開口の反対面に当たる動作が発生し得る。また、筆記圧が解除された場合には、前記した片寄ったスプリング圧を受けて再び先端筆記部は口先部の開口の一部に対して片寄った状態で当接する。
この繰り返しにより、筆記に伴い口先部の開口と先端筆記部との間で、金属同志の衝突音（いわゆるカチカチ音）が常に筆記中に発生し、ユーザーにおいてはこの衝突音が不快に感ずるものとなる。
【０００７】
前記した筆記中の衝突音（カチカチ音）の発生を抑制するために、この発明においては、コイル状の戻しスプリングの形態について考察をしている。
なお、この発明に係るコイル状の戻しスプリングとは、その利用形態が異なるものの、先行例として特許文献２〜４を挙げることができる。これらにはスプリングの擦れ音の発生を防止させる点や、ノック操作と操作荷重について考察した点などが開示されている。
【先行技術文献】
【特許文献】
【０００８】
【特許文献１】特開２０１６−５５４９５号公報
【特許文献２】実開平６−６６５１４号公報
【特許文献３】特開２００６−２５５９２２号公報
【特許文献４】特開２０１７−３５８６８号公報
【発明の概要】
【発明が解決しようとする課題】
【０００９】
この発明は、前記した繰出し式筆記具について、筆記部の繰出し時において、例えばボールペンチップで例示される筆記部先端のテーパー状の斜面が、口先部内に当接することで生ずる不快な摺接音の発生を、特許文献１に開示の手段とは異なる手段により解消させようとするものである。
加えて、前記した口先部の開口と筆記部との間のクリアランスの存在により、筆記中において不快な衝突音（カチカチ音）が生ずるのを、効果的に抑制することができる繰出し式筆記具を提供することを主要な課題とするものである。
【課題を解決するための手段】
【００１０】
前記した課題を解決するためになされたこの発明に係る繰出し式筆記具は、軸筒と、前記軸筒内に配置された筆記リフィールと、前記筆記リフィールを軸筒内の後方に向って付勢する戻しスプリングと、前記戻しスプリングの付勢力に抗して前記筆記リフィールを前方に押圧することで、軸筒先端部における口先部の開口から筆記リフィールの先端筆記部を突出させる繰出し操作部とを具備した繰出し式筆記具であって、前記戻しスプリングは、コイル状に成形された前端部が口先部内に当接し、後端部が筆記リフィールに当接して配置されると共に、戻しスプリングの中腹部に外径が最小径にされたくびれ部が形成され、かつ後端部の外径が最大径に成形されていることを特徴とする。
【００１１】
この場合、好ましい形態においては、前記戻しスプリングの後端部は、中腹部に対してコイルピッチが狭く形成されると共に、中腹部から後端部に向って外径が順次拡大する拡径部が形成される。
また、前記先端筆記部に形成されたテーパー面の角度をα１、前記口先部の開口における内面角度をα２としたとき、α１＞α２の関係に設定されていることが望ましい。
【００１２】
さらにこの発明は、前記軸筒が前軸と後軸により構成され、前軸に対して後軸を相対回転させることで、前記筆記リフィールを前進動作させる回転繰出しユニットが備えられ、前記回転繰出しユニットによる筆記リフィールの前進動作により、先端筆記部を口先部の開口から突出させる回転繰出し式筆記具に好適に採用することができる。
【発明の効果】
【００１３】
前記したこの発明に係る繰出し式筆記具によると、筆記リフィールを軸筒内の後方に向って付勢する戻しスプリングには、その中腹部に外径が最小径にされたくびれ部が形成される。これにより、筆記部が口先部から繰出されて筆記可能になされた戻しスプリングの収縮状態においては、戻しスプリングの中腹部に形成された前記くびれ部は、筆記リフィールの周側面に適宜接する等して、戻しスプリングの中央部に、たわみが生ずるのを抑制することができる。
【００１４】
これにより、戻しスプリングによるばね力は、主に軸心方向に働くように作用させることができ、スプリングの中腹部のたわみにより、口先部の開口を通る先端筆記部を、軸心から逸脱させる（逃がす）方向に作用させる従来の問題を解消することができる。
したがって、口先部の開口を通る先端筆記部が軸心から片寄ったスプリング圧を受けることで、筆記中に生ずる前記した衝突音（カチカチ音）の発生を効果的に抑制することができるものとなる。
【００１５】
一方、先端筆記部に形成されたテーパー面の角度をα１、口先部の開口における内面角度をα２としたとき、α１＞α２の関係に設定したことで、先端筆記部が口先部の開口から繰出される際に、先端筆記部のテーパー面が、口先部の開口内面に擦れる問題を防止させることができる。
これにより、先端筆記部の繰出し時において、不快な摺接音が発生するのを抑制することが可能な高級感に優れた繰出し式筆記具を提供することができる。
【図面の簡単な説明】
【００１６】
【図１】この発明に係る繰出し式筆記具の全体構成を示し、（Ａ）は正面図、（Ｂ）は中央断面図である。
【図２Ａ】筆記リフィールの外観構成を示した斜視図である。
【図２Ｂ】筆記リフィールの中央断面図である。
【図３】図１に示す筆記具後端部を拡大した断面図である。
【図４】図１に示す筆記具前端部を拡大した断面図である。
【図５Ａ】戻しスプリングの第１の例を示した一部端面図である。
【図５Ｂ】戻しスプリングの第２の例を示した一部端面図である。
【図６】図１に示す筆記具後端部を一部破断して示した斜視図である。
【図７Ａ】後軸単体の斜視図である。
【図７Ｂ】後軸単体の上面図である。
【図７Ｃ】後軸単体の中央断面図である。
【図８Ａ】クリップ単体の斜視図である。
【図８Ｂ】クリップ単体の上面図である。
【図９】天冠飾りを示しており、（Ａ）は斜視図、（Ｂ）は視点を変えた斜視図、（Ｃ）は中央断面図、（Ｄ）は底面図である。
【図１０】飾り止めナットを示しており、（Ａ）は斜視図、（Ｂ）は視点を変えた斜視図、（Ｃ）は中央断面図、（Ｄ）は底面図である。
【図１１Ａ】天冠の正面図である。
【図１１Ｂ】天冠の斜視図である。
【図１２Ａ】スリーブナットの斜視図である。
【図１２Ｂ】スリーブナットの視点を変えた斜視図である。
【図１２Ｃ】スリーブナットの中央断面図である。
【発明を実施するための形態】
【００１７】
この発明に係る繰出し式筆記具について、図に示す実施の形態に基づいて説明する。
なお、以下に示す各図においては、同一部分を同一符号で示しているが、一部の図面においては紙面の都合で代表的な部分に符号を付けて、その詳細な構成については、その他の図面に付けた符号を引用して説明することもある。
図１（Ａ）および図１（Ｂ）は、繰出し式筆記具の全体構成を示しており、この繰出し式筆記具は、外径がほぼ同一になされた円筒状の前軸１Ａと後軸１Ｂとにより軸筒１を構成している。そして、後で説明するように前軸１Ａに対して後軸１Ｂが相対回転されることで、軸筒前端部の口先部から筆記部が出没される回転繰出し式筆記具を構成している。
【００１８】
前軸１Ａの前端部には、先端内周面に雌ねじが、後端外周面に雄ねじが施された円筒状の連結体２が取り付けられており、この連結体２を介して、先端部側に金属製の口先部（口金）３が取り付けられると共に、口先部３と前軸１Ａとの間に加飾筒体４が取り付けられている。
そして、円錐状に成形された前記口先部３の先端部には開口３ａが形成されており、この開口３ａから軸筒１内に収容された筆記リフィール５の先端筆記部５ａが出没されるように構成されている。
【００１９】
この例に示す繰出し式筆記具には、筆記リフィール５の先端筆記部５ａから、摩擦部材等からの熱を加えることで、筆跡を変色させることが可能な熱変色性インクが塗出される。なお、この例に示す繰出し式筆記具は、筆記具外面に熱可塑性エラストマー等のゴム弾性材料からなる摩擦部材を軸筒外面に備えないことで、長期間の使用でも軸筒外面に汚れの目立ちにくい熱変色性筆記具を提供することができる。
なお、この筆記リフィール５としては、先端筆記部５ａに例えばボールペンチップを備えたボールペンリフィールや、マーキングペン芯等のその他の筆記チップを備えたリフィールを用いることができることは当然である。
【００２０】
ここで、熱変色性インクとは、常温（例えば２５℃）で所定の色彩（第１色）を維持し、所定温度（例えば６０℃）まで昇温させると、別の色彩（第２色）へと変化し、その後、所定温度（例えば−５℃）まで冷却させると、再び元の色彩（第１色）へ復帰する性質を有するインクを言う。熱変色性インクを用いた筆記具においては、前記第２色を無色とし、第１色（例えば赤）で筆記した描線を、前記摩擦により昇温させて無色とすることで、実質的に描線を消去することができる。なお、前記第２色は当然ながら無色以外の有色にすることも可能である。
【００２１】
この筆記リフィール５は、図２Ａおよび図２Ｂに示されているように、先端筆記部５ａを支持する金属管５Ａと、この金属管５Ａの後端部に取り付けられた樹脂製の栓体５Ｂを備えている。なお、金属管５Ａは、筆記リフィール５がボールペンリフィールである場合には、インク収容管になされる。
そして、金属管５Ａの先端部分が、前記先端筆記部５ａとほぼ同一の外径寸法となるように細く成形されて細径部５ｂを構成しており、前記細径部５ｂから径を太くするテーパー部５ｃを介して本体の大径部５ｄに連続するように一体成形されている。
【００２２】
一方、金属管５Ａの後端部を塞ぐ栓体５Ｂには、円環状に配列された複数のカム面や軸方向に沿う溝部等が形成されており、このカム面５ｅ等は、例えばノック式の繰出し式筆記具に装着した場合において、筆記リフィール５の所定角度の回転ごとに、筆記リフィール５が前進および後退した状態にロックされるように作用する。
【００２３】
一方、図４に筆記具先端部を拡大断面図で示したように、前記した筆記部５ａは、その先端部にテーパー面５ａ１が形成されている。また、筆記部５ａの後端部には、その中央部に対して若干径を細くして取り付け部５ａ２が形成されており、この取り付け部５ａ２が金属管５Ａの細径部５ｂに嵌合により取り付けられている。
そして、先端筆記部５ａに形成されたテーパー面５ａ１の軸を中央にした角度をα１、前記口先部３の開口３ａにおける軸を中央にした内面角度をα２としたとき、α１＞α２となる関係に設定されている。
なお、図に示す例においては、α１＝３５度、α２＝１０度である。
【００２４】
前記筆記リフィール５として、例えばボールペンリフィールを例にした場合、先端筆記部５ａとしてのボールペンチップは金属素材により成形される例が多く、この場合、テーパー面５ａ１が、旋盤等の加工機により切削加工された場合には、テーパー面５ａ１に円周状の切削痕であるひき目が残される。
これにより、先端筆記部５ａが口先部３の開口３ａから繰出される際に、先端筆記部５ａのテーパー面５ａ１に残された前記ひき目が、口先部３の開口３ａ内面に擦れることで、不快な摺接音が発生するところ、前記したα１とα２の関係に設定することで、不快な摺接音の発生を効果的に防止することができるものとなる。
【００２５】
一方、前記筆記リフィール５の細径部５ｂには、コイル状の戻しスプリング６が装着されている。この戻しスプリング６の前端部は、図４に示すように口先部３の内面に、内径を段状に縮小させることで形成された環状の当接部３ｂに当接しており、スプリング６の後端部は、図１に示すようにリフィール５の金属管５Ａにおけるテーパー部５ｃに接した状態で配置されている。これにより、戻しスプリング６は、筆記リフィール５を軸筒１内の後方に向って付勢している。
【００２６】
図５Ａおよび図５Ｂは、前記した戻しスプリング６の好ましい第１と第２の形態を、その中腹部を端面図で示している。
先ず、図５Ａに示す戻しスプリング６の第１の形態においては、スプリング６の前端部側（図の左側）および後端部側（図の右側）は、中腹部に対してコイルピッチが密着する程度に狭く形成されている。そして後端部側は、外径が順次拡大する拡径部６ａになされており、この後端部側の拡径部６ａが前記筆記リフィール５の金属管５Ａにおけるテーパー部５ｃに接することにより、筆記リフィール５と戻しスプリング６との軸心が一致するように構成されている。
【００２７】
そして、戻しスプリング６の前端部側は、口先部３の環状の当接部３ｂ（図４）に当接することで、前記したとおり筆記リフィール５を軸筒１内の後方に向って付勢している。
また、図５Ａに示す戻しスプリング６における前端部側の径をＤ１としたとき、スプリング６の中腹部には、前記径Ｄ１よりも径の小さなくびれ部６ｂ１が形成されており、このくびれ部６ｂ１の前後には、前記径Ｄ１にほぼ等しい径を有する領域６ｃ１，６ｃ２がそれぞれ形成されている。
すなわち、前記くびれ部６ｂ１は、戻しスプリング６において外径が最小径となるように成形されており、後端部側の拡径部６ａの外径が最大径に成形されている。
【００２８】
また、図５Ｂに示す戻しスプリング６の第２の形態においては、スプリング６の前端部側（図の左側）および後端部側（図の右側）の構成は、図５Ａに示した第１の形態と同様であり、その説明は省略する。
この第２の形態の戻しスプリング６においては、その中腹部の前後に、前端部側の径Ｄ１よりも若干径が太い領域（膨らみ部）６ｄ１，６ｄ２が形成され、その領域６ｄ１，６ｄ２の間に、前記径Ｄ１にほぼ等しい径の領域６ｂ２が形成されている。すなわち、第２の形態の戻しスプリング６においては、前記領域６ｂ２が、戻しスプリング６において外径が最小径となるくびれ部に相当するものとなる。
【００２９】
前記したくびれ部６ｂ１，６ｂ２を備えた第１および第２形態の戻しスプリング６によると、筆記部５ａが口先部３から繰出されて筆記可能になされた状態、すなわち戻しスプリング６を収縮させた状態においては、戻しスプリング６の前記くびれ部６ｂ１，６ｂ２は、筆記リフィールの細径部５ｂの一部に適宜接する等して、戻しスプリング６の中央部に、たわみが生ずるのを抑制するように作用する。
【００３０】
したがって、戻しスプリング６による反発力は、主に軸心方向に働くことになり、戻しスプリング６の中腹部がたわむことにより、先端筆記部５ａが口先部３の開口３ａの一部に向って強く押しつけられる従来の筆記具の問題点を解消することができる。
これにより、先端筆記部５ａを、口先部３の開口３ａのほぼ中央部に位置させるように設定することができる。それ故、口先部３の開口３ａを通る先端筆記部５ａが、軸心から片寄ったスプリング圧を受けた状態で筆記圧を受け、先端筆記部５ａが口先部３の開口３ａ内を往復して異音（衝突音＝カチカチ音）が発生するのを効果的に抑制することができるものとなる。
【００３１】
また、図５Ｂに示す第２形態の戻しスプリング６を用い、このスプリング６と口先部３の内周面との隙間を適切に調整することで、スプリング６にたわみが生じようとするときに、スプリング６の前記した膨らみ部６ｄ１，６ｄ２が、口先部３の内周面に当たるように設定することで、同様に先端筆記部５ａを、口先部３の開口３ａのほぼ中央部に位置させるように構成することもできる。
【００３２】
前記前軸１Ａの後端部開口には、図１および図６に示すように、内周面に雌ねじが施された連結部材８が、嵌合により取り付けられている。一方、後軸１Ｂの前端部開口には、円筒状の螺合部材９が後軸１Ｂに対して、所定の回転角において回動可能となるように取り付けられていて、螺合部材９に形成された雄ねじが、前軸１Ａに嵌合された連結部材８の雌ねじに螺合されることで、前軸１Ａと後軸１Ｂが連結されている。
前記螺合部材９の後端部内周面には、雌ねじが施されており、この雌ねじに対して回転繰出しユニット１１に備えられた回動部材１２の前端部がねじ込まれて取り付けられている。
【００３３】
前記回転繰出しユニット１１内には、図１に示すようにスライダ１３が収容されており、このスライダ１３の後部にはカム部材１４が収容されている。そして、前記回動部材１２に対して、回転繰出しユニット１１のユニットケースが相対回転することで、前記カム部材１４の作用により、スライダ１３は軸前方に押し出される作用を受ける。
前記スライダ１３の先端部には、軸方向に移動可能な短軸部材１５が配置されており、この短軸部材１５の前端部は、筆記リフィール５の後端部に取り付けられた栓体５Ｂに当接している。
【００３４】
前記回転繰出しユニット１１は、後述するようにスリーブナットを介して後軸１Ｂ内に取り付けられており、したがって、前軸１Ａに対して後軸１Ｂを一方向に相対回転（右回転）させることで、筆記リフィール５の先端筆記部５ａは、口先部３の先端開口３ａから繰出される。また、前軸１Ａに対して後軸１Ｂを他方向に相対回転（左回転）させることで、前記した戻しスプリング６の作用を受けて、先端筆記部５ａは、口先部３内に収容されることになる。
すなわち、この実施の形態においては、後軸１Ｂが先端筆記部５ａの繰出し操作部を構成している。
【００３５】
図７Ａ，図７Ｂおよび図７Ｃは、後軸１Ｂの単体構成を示しており、この後軸１Ｂは前記したとおり円筒状に形成され、その後端部には、軸に直交するようにして折り曲げ端面１ａが一体に形成されている。この折り曲げ端面１ａの中央部には、直線状の開口縁部１ｂが対向するように備えられた非円形の開口１ｃが形成されている。また、後軸１Ｂの後端部の直近における側面の一部には、スリット状の開口１ｄが形成されており、これは後述するクリップの基端部が挿入されて後軸１Ｂに取り付けるために利用される。
【００３６】
図８Ａおよび図８Ｂは、クリップ１７の単体構成を示しており、このクリップ１７はＬ字状に成形されて、その基端部１７ａが前記した後軸１Ｂのスリット状の開口１ｄに挿入されて後軸１Ｂに取り付けられる。加えて、基端部１７ａには円の一部に直線状の縁部１７ｂを形成してＤ字状になされた貫通孔１７ｃが形成されている。
なお、クリップ１７の先端部には、クリップ玉１７ｄが一体に成形されている。
【００３７】
図９（Ａ），（Ｂ），（Ｃ），（Ｄ）は、天冠飾り１８を示しており、この天冠飾り１８の軸心部には、貫通孔１８ａが形成されて全体がリング状に成形されている。
そして、この天冠飾り１８は、径の太い頭部１８ｂと、径の細い中央頸部１８ｃと、この頸部１８ｃに続いて若干径を細くした円筒部には雄ねじ１８ｄが形成されている。
また、前記頸部１８ｃには、両外側に向って平面状に成形された面そぎ部１８ｅが形成されており、この一対の面そぎ部１８ｅは、前記した後軸１Ｂの非円形の開口１ｂにおける直線状の開口縁部１ｂに沿って挿入されることで、後軸１Ｂに対する天冠飾り１８の回り止めとして機能する。
【００３８】
図１０（Ａ），（Ｂ），（Ｃ），（Ｄ）は、飾り止めナット１９を示しており、この飾り止めナット１９の軸心部には、貫通孔１９ａが形成されてリング状に成形され、この貫通孔１９ａ内には雌ねじ１９ｂが形成されている。この飾り止めナット１９の円筒状の周面１９ｃには、両外側に向って平面状に成形された面そぎ部１９ｄが形成されている。加えて、飾り止めナット１９の軸方向の端部には、鍔部１９ｅが形成されている。
【００３９】
図１１Ａおよび図１１Ｂは天冠２０を示しており、この天冠２０の円形状の頭部２０ａの上面は、曲率の大きな球面の一部を構成し、かつ頭部２０ａは軸方向に若干肉厚に形成されている。この頭部２０ａに続いて、径を細くした円柱状の支軸２０ｂが形成され、この支軸２０ｂの先端部側はさらに若干径を細くして雄ねじ２０ｃが形成されている。そして、雄ねじ２０ｃを含む支軸２０ｂの先端部側には、軸方向に沿って平面状の面そぎ部２０ｄが形成されている。
【００４０】
図１２Ａ，図１２Ｂおよび図１２Ｃは、スリーブナット２１を示しており、このスリーブナット２１は、その全体が円筒状に成形されて、径を細くした頸部２１ａの端部には鍔部２１ｂが形成されると共に、頸部２１の内周面には、雌ねじ２１ｃが形成されている。
そして、大径部２１ｄの開口縁には、周方向に沿った１８０度対向する位置に、それぞれＵ字状の切欠部２１ｅが形成されている。
【００４１】
図３および図６は、前記した天冠飾り１８、飾り止めナット１９、天冠２０、スリーブナット２１を用いて、前記クリップ１７および回転繰出しユニット１１を後軸１Ｂに取り付けた状態を示している。
図３および図６に示す状態に組み上げるには、先ず後軸１Ｂの折り曲げ端面１ａに形成された直線状の開口縁部１ｂに、天冠飾り１８に形成された面そぎ部１８ｅを当てる。
【００４２】
この状態で、飾り止めナット１９の面そぎ部１９ｄに係合する二股状の突起を備えた図示せぬ第１治具を利用して、飾り止めナット１９を後軸１Ｂ内に挿入し、第１治具を軸回転させることで、前記後軸の内側に位置する前記天冠飾り１８の雄ねじ１８ｄに対して、飾り止めナット１９の雌ねじ１９ｂがねじ込まれる。
この場合、天冠飾り１８の面そぎ部１８ｅが、後軸１Ｂの直線状の開口縁部１ｂに当たるために、天冠飾り１８は後軸１Ｂに対して回り止めされており、したがって、飾り止めナット１９を天冠飾り１８に対して円滑に締め付けることができる。これにより、天冠飾り１８および飾り止めナット１９を後軸１Ｂに対して円滑に取り付けることができる。
【００４３】
続いて、クリップ１７の基端部１７ａを、後軸１Ｂのスリット状開口１ｄに挿入し、天冠飾り１８の貫通孔１８ａに、天冠２０の雄ねじ２０ｃが形成された先端部を挿入する。このとき、天冠２０の面そぎ部２０ｄが、クリップ１７のＤ字状貫通孔１７ｃに形成された直線状縁部１７ｂに沿うように、天冠２０の先端部を挿入する。これにより、天冠２０はクリップ１７に対して回り止めされる。これと同時にクリップ１７の基端部１７ａは、貫通孔１７ｃに挿通された天冠２０の支軸により、後軸１Ｂのスリット状開口１ｄから抜け出ないように仮止めされる。
【００４４】
この状態で、スリーブナット２１の大径部２１ｄに形成された一対の切欠部２１ｅに係合する一対の突起を備えた図示せぬ第２治具を利用して、スリーブナット２１を後軸１Ｂ内に挿入し、第２治具を軸回転させることで、スリーブナット２１の雌ねじ２１ｃが天冠２０の雄ねじ２０ｃにねじ込まれる。
この時、前記したように天冠２０は、クリップ１７のＤ字状貫通孔１７ｃによって回り止めされており、したがって、スリーブナット２１を天冠２０の支軸２０ｂに形成された雄ねじ２０ｃに対して円滑に締め付けることができる。これにより、クリップ１７の基端部１７ａは、飾り止めナット１９を台にして、スリーブナット２１の鍔部２１ｂとの間に挟まれて固定される。
【００４５】
この状態で、スリーブナット２１の大径部２１ｄ内に、前記した回転繰出しユニット１１を嵌め込んで固定すると共に、回転繰出しユニット１１の前部に、図１に示すように短軸部材１５および螺合部材９を順次装着することで、後軸１Ｂ側の図１および図６に示す構成が組み上げられる。
【００４６】
以上説明したように、この発明に係る繰出し式筆記具によると、筆記リフィールを軸筒内の後方に向って付勢する戻しスプリングには、その中腹部に外径が最小径にされたくびれ部が形成され、戻しスプリングの中央部に、たわみが生ずるのを抑制することができる。これにより、口先部の開口を通る先端筆記部が軸心から片寄ったスプリング圧を受けることで、筆記中に生ずる衝突音の発生を効果的に抑制することができるものとなる。
また、先端筆記部に形成されたテーパー面の角度α１と、口先部の開口における内面角度α２との関係について配慮したことで、先端筆記部の繰出し時において、不快な摺接音が発生するのを抑制することが可能になるなど、前記した発明の効果の欄に記載した作用効果を得ることができ、高級感に優れた繰出し式筆記具を提供することに寄与できる。
【００４７】
なお、前記した実施の形態は、前軸に対して相対回転する後軸を繰出し操作部として利用し、口先部の開口から先端筆記部を繰出す回転繰出し式筆記具を例にしたが、この発明は軸筒の一部に備えたノック部の操作で先端筆記部を繰出すノック式、あるいは軸筒に沿って移動するスライドノブの操作により先端筆記部を繰出すスライド繰出し式筆記具等にも利用することができ、同様の作用効果を得ることができる。
【符号の説明】
【００４８】
１      軸筒
１Ａ    前軸
１Ｂ    後軸（繰出し操作部）
１ａ    折り曲げ端面
１ｂ    直線状開口縁部
１ｃ    非円形開口
１ｄ    スリット状開口
３      口先部（口金）
３ａ    先端開口
５      筆記リフィール
５Ａ    金属管（インク収容管）
５Ｂ    栓体
５ａ    筆記部
５ａ１  テーパー面
５ａ２  取り付け部
５ｂ    細径部
５ｃ    テーパー部
５ｄ    大径部
６      戻しスプリング
６ａ    拡径部
６ｂ１，６ｂ２  くびれ部
６ｄ１，６ｄ２  膨らみ部
１１    回転繰出しユニット
１２    回動部材
１３    スライダ
１４    カム部材
１５    短軸部材
１７    クリップ
１７ａ  基端部
１７ｂ  直線状縁部
１７ｃ  貫通孔（Ｄ字状貫通孔）
１８    天冠飾り
１８ａ  貫通孔
１８ｂ  頭部
１８ｃ  頸部
１８ｄ  雄ねじ
１８ｅ  面そぎ部
１９    飾り止めナット
１９ａ  貫通孔
１９ｂ  雌ねじ
１９ｃ  円筒周面
１９ｄ  面そぎ部
１９ｅ  鍔部
２０    天冠
２０ａ  頭部
２０ｂ  支軸
２０ｃ  雄ねじ
２０ｄ  面そぎ部
２１    スリーブナット
２１ａ  頸部
２１ｂ  鍔部
２１ｃ  雌ねじ
２１ｄ  大径部
２１ｅ  切欠部
【図１】
2019119055.tif 000003
【図２Ａ】
2019119055.tif 000004
【図２Ｂ】
2019119055.tif 000005
【図３】
2019119055.tif 000006
【図４】
2019119055.tif 000007
【図５Ａ】
2019119055.tif 000008
【図５Ｂ】
2019119055.tif 000009
【図６】
2019119055.tif 000010
【図７Ａ】
2019119055.tif 000011
【図７Ｂ】
2019119055.tif 000012
【図７Ｃ】
2019119055.tif 000013
【図８Ａ】
2019119055.tif 000014
【図８Ｂ】
2019119055.tif 000015
【図９】
2019119055.tif 000016
【図１０】
2019119055.tif 000017
【図１１Ａ】
2019119055.tif 000018
【図１１Ｂ】
2019119055.tif 000019
【図１２Ａ】
2019119055.tif 000020
【図１２Ｂ】
2019119055.tif 000021
【図１２Ｃ】
2019119055.tif 000022